(57)【要約】【課題】回診時の被検者不在の可能性を低減し、回診検査を円滑に行うこと。【解決手段】撮影情報管理システムは、回診に関連する回診情報を管理する管理装置と、回診情報に基づく回診検査を行う複数の移動型放射線撮影装置と、回診検査を受ける被検者の位置情報を取得する位置取得装置と、を有する。管理装置は、回診予定の検査情報と、複数の移動型放射線撮影装置から取得した装置情報とに基づいて、各移動型放射線撮影装置で行う回診検査を割り当てた回診情報を作成する回診情報管理部と、被検者の位置情報に基づいて、被検者が回診検査を行う場所にいる場合に、各移動型放射線撮影装置における回診検査の実施状況に基づいて回診情報の内容を変更する変更制御部とを備える。【選択図】  図１
2018158026.tif 000002
【特許請求の範囲】
【請求項１】
回診に関連する回診情報を管理する管理装置と、前記回診情報に基づく回診検査を行う複数の移動型放射線撮影装置と、前記回診検査を受ける被検者の位置情報を取得する位置取得装置と、を有する撮影情報管理システムであって、
前記管理装置は、
回診予定の検査情報と、前記複数の移動型放射線撮影装置から取得した装置情報とに基づいて、各移動型放射線撮影装置で行う回診検査を割り当てた回診情報を作成する回診情報管理手段と、
前記被検者の位置情報に基づいて前記被検者が回診検査を行う場所にいる場合に、各移動型放射線撮影装置における回診検査の実施状況に基づいて前記回診情報の内容を変更する変更制御手段と、
を備えることを特徴とする撮影情報管理システム。
【請求項２】
前記位置取得装置は、前記被検者の位置情報を取得する取得手段を有し、
前記管理装置は、前記回診検査が行われる施設内の地図情報を記憶した記憶手段を有し、
前記変更制御手段は、前記被検者の位置情報と前記地図情報とに基づいて、前記被検者が前記回診情報に設定されている回診検査を行う場所にいるか否かを判定することを特徴とする請求項１に記載の撮影情報管理システム。
【請求項３】
前記変更制御手段は、前記回診情報と、各移動型放射線撮影装置における回診検査の実施状況を示す情報とに基づいて、前記回診情報の変更内容を決定することを特徴とする請求項２に記載の撮影情報管理システム。
【請求項４】
前記変更制御手段は、前記実施状況を示す情報に検査終了になっていない回診検査が含まれており、前記回診情報に設定されている撮影予定時刻と現在時刻との差が閾値時間を超えている場合、当該回診検査は予定よりも遅れていると判定することを特徴とする請求項３に記載の撮影情報管理システム。
【請求項５】
前記変更制御手段は、前記回診情報と、前記回診検査の実施状況を示す情報とに基づいて、予定された回診検査が全て終了している移動型放射線撮影装置があるか判定することを特徴とする請求項４に記載の撮影情報管理システム。
【請求項６】
前記変更制御手段は、前記回診検査が予定より遅れていると判定された移動型放射線撮影装置に割り当てられている残りの回診検査を、前記回診検査が全て終了している移動型放射線撮影装置に割り当てるように前記回診情報の変更を決定することを特徴とする請求項５に記載の撮影情報管理システム。
【請求項７】
前記変更制御手段は、前記回診検査が全て終了している複数の移動型放射線撮影装置から取得した現在位置の情報および前記地図情報に基づいて、前記残りの回診検査を行う場所に最も近い位置にある移動型放射線撮影装置に、当該残りの回診検査を割り当てるように前記回診情報の変更を決定することを特徴とする請求項６に記載の撮影情報管理システム。
【請求項８】
前記回診情報には、前記被検者を特定するための被検者情報と、前記回診検査で行われる放射線撮影の条件を含む検査情報と、回診予定順、および撮影予定時刻を含む回診検査計画とが含まれることを特徴とする請求項１乃至７のいずれか１項に記載の撮影情報管理システム。
【請求項９】
前記装置情報には、前記移動型放射線撮影装置の待機場所、現在位置、保持する放射線検出器の情報が含まれることを特徴とする請求項１に記載の撮影情報管理システム。
【請求項１０】
前記被検者の位置情報を取得する取得手段には監視カメラが含まれていることを特徴とする請求項１乃至９のいずれか１項に記載の撮影情報管理システム。
【請求項１１】
前記取得手段には、前記回診検査を行う場所に設置されたセンサが含まれていることを特徴とする請求項１０に記載の撮影情報管理システム。
【請求項１２】
前記管理装置は、
前記回診情報管理手段により作成された回診情報または前記変更制御手段により変更された回診情報を前記複数の移動型放射線撮影装置に送信する通信手段を更に備えることを特徴とする請求項１乃至１１のいずれか１項に記載の撮影情報管理システム。
【請求項１３】
回診に関連する回診情報を管理する管理装置であって、
回診予定の検査情報と、前記回診情報に基づく回診検査を行う複数の移動型放射線撮影装置から取得した装置情報とに基づいて、各移動型放射線撮影装置で行う回診検査を割り当てた回診情報を作成する回診情報管理手段と、
前記回診検査を受ける被検者の位置情報に基づいて、前記被検者が回診検査を行う場所にいる場合に、各移動型放射線撮影装置における回診検査の実施状況に基づいて前記回診情報の内容を変更する変更制御手段と、
を備えることを特徴とする管理装置。
【請求項１４】
回診に関連する回診情報を管理する管理装置の情報管理方法であって、
回診情報管理手段が、回診予定の検査情報と、前記回診情報に基づく回診検査を行う複数の移動型放射線撮影装置から取得した装置情報とに基づいて、各移動型放射線撮影装置で行う回診検査を割り当てた回診情報を作成する工程と、
変更制御手段が、前記回診検査を受ける被検者の位置情報に基づいて、前記被検者が回診検査を行う場所にいる場合に、各移動型放射線撮影装置における回診検査の実施状況に基づいて前記回診情報の内容を変更する工程と、
を有することを特徴とする情報管理方法。
【請求項１５】
コンピュータに、請求項１４に記載された情報管理方法の各工程を実行させるためのプログラム。
【発明の詳細な説明】
【技術分野】
【０００１】
本発明は、病院等で行われる回診に関する情報を管理する撮影情報管理システム、管理装置、情報管理方法およびプログラムに関する。
【背景技術】
【０００２】
病院内、特に病室で放射線撮影を伴う回診を行う場合、技師が移動型放射線撮影装置を病室まで移動させて、撮影が行われる。このような回診を行う場合、移動型放射線撮影装置は、患者情報、検査情報、撮影装置情報を管理する集中管理装置から撮影指示をうけ、これに基づいて撮影が実施される。移動型放射線撮影装置は、放射線撮影で得られた撮影画像を集中管理装置へ送信し、集中管理装置は受信した撮影画像を保管する。
【０００３】
特許文献１には、複数の移動型Ｘ線撮影装置を用いた回診において、回診予定、および回診予定の変更に関する情報を管理する技術が開示されている。複数の移動型放射線撮影装置を用いて、それぞれの回診が計画された場合、それぞれの移動型放射線撮影装置の回診検査実施状況は異なったものとなる。
【０００４】
例えば、一方の移動型放射線撮影装置が計画通りに回診を終えた時点で、他方の移動型放射線撮影装置では計画した回診を終了していない状況が生じ得る。このような場合の回診計画の変更として、特許文献１には、移動型放射線撮影装置の回診順、回診予定時刻、回診検査実施状況をもとに回診計画を変更し、変更した回診計画を移動型放射線撮影装置へ送信する構成が開示されている。
【先行技術文献】
【特許文献】
【０００５】
【特許文献１】特開２００６−３４０７８８号公報
【発明の概要】
【発明が解決しようとする課題】
【０００６】
しかしながら、特許文献１の構成では、回診計画を変更する際に、回診検査を行う病室に被検者である患者がいるかどうか確認していない。このため、移動型放射線撮影装置が変更後の回診計画に基づいて回診を行う時に、病室に患者が不在の可能性が残るため、円滑な回診の実行に支障をきたす場合が生じ得る。
【０００７】
本発明は、上記の課題に鑑みてなされたものであり、回診時の被検者不在の可能性を低減し、回診検査を円滑に行うことが可能な撮影情報管理技術を提供することを目的とする。
【課題を解決するための手段】
【０００８】
本発明の一態様による撮影情報管理システムは、回診に関連する回診情報を管理する管理装置と、前記回診情報に基づく回診検査を行う複数の移動型放射線撮影装置と、前記回診検査を受ける被検者の位置情報を取得する位置取得装置と、を有する撮影情報管理システムであって、前記管理装置は、
回診予定の検査情報と、前記複数の移動型放射線撮影装置から取得した装置情報とに基づいて、各移動型放射線撮影装置で行う回診検査を割り当てた回診情報を作成する回診情報管理手段と、
前記被検者の位置情報に基づいて、前記被検者が回診検査を行う場所にいる場合に、各移動型放射線撮影装置における回診検査の実施状況に基づいて前記回診情報の内容を変更する変更制御手段と、を備えることを特徴とする。
【発明の効果】
【０００９】
本発明によれば、回診検査を円滑に行うことが可能な撮影情報管理技術を提供することができる。
【図面の簡単な説明】
【００１０】
【図１】実施形態に係る撮影情報管理システムの構成例を示す図。
【図２】集中管理装置及び移動型放射線撮影装置の機能的な構成例を示す図。
【図３】回診情報の一例を示す図。
【図４】撮影情報管理システムを用いた回診の流れを示すフローチャート。
【図５】回診情報を作成する処理の流れを説明するフローチャート。
【図６】回診情報を変更する制御の流れを説明するフローチャート。
【発明を実施するための形態】
【００１１】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１２】
（第１の実施形態）
図１は本発明の実施形態に係る移動型放射線撮影装置の撮影情報管理システム１０の構成例を示す図である。撮影情報管理システム１０は、移動型放射線撮影装置２０と、放射線情報システム３０と、集中管理装置４０と、位置取得装置５０とを有する。これらの装置は、例えばネットワーク等の通信部６０を介して接続されている。集中管理装置４０は、回診に関連する回診情報を管理する。また、位置取得装置５０は、回診検査を受ける被検者の位置情報を取得する。
【００１３】
移動型放射線撮影装置２０は、放射線画像を撮影するための装置であり、表示部２１と、操作部２２と、制御部２３と、撮影部２４とを有する。表示部２１は、例えば、液晶ディスプレイ等で構成され、操作者に向けて撮影指示情報や回診情報、ＧＵＩ（グラフィカルユーザインタフェース）などを画面に表示する。例えば、放射線情報システム３０から受信した撮影指示情報が表示される。
【００１４】
操作部２２は、例えば、マウス、キーボード、放射線照射スイッチ、または各種ボタン等で構成され、操作者からの指示を移動型放射線撮影装置２０に入力する。制御部２３は、操作部２２の操作に従って、撮影部２４を制御し撮影を行い、検査の開始終了処理や、撮影画像や検査情報を内部の記憶部に記憶する機能を有する。撮影部２４は、放射線を発生する放射線発生部と、放射線を検出して放射線画像を撮影する放射線検出器とを有する。操作者は操作部２２で放射線撮影指示を行い、撮影を終えると放射線検知器から受信した放射線画像が表示部２１に表示される。
【００１５】
放射線情報システム３０は、放射線部門内の情報システムであり、一般的にはＲＩＳ(Radiology Information System)として実現されるものである。
【００１６】
集中管理装置４０は、回診に関連する回診情報を集中管理するための装置である。
【００１７】
位置取得装置５０は、病院内において、被検者である患者の現在の位置情報を取得するための装置であり、例えば、監視カメラで患者を識別し、病院内における現在位置（例えば病室番号）を特定することができる。なお、位置取得装置５０において、被検者である患者の現在位置を取得する仕方は、監視カメラに限定されるものではなく、例えば、病室に設置した各種センサ（被検者が所定の位置にいることを検出するベッドセンサやマットセンサ、被検者が所定の範囲から外れたか否かを検出する徘徊センサ等）やそれらの組み合わせによっても実現される。
【００１８】
図２を用いて、集中管理装置４０および移動型放射線撮影装置２０の機能的な構成の一例について説明する。
【００１９】
（集中管理装置４０の機能構成）
集中管理装置４０は、装置情報記憶部４１と、病院内マップ記憶部４２と、回診情報管理部４３と、変更制御部４４と、位置取得装置５０との間でデータの送受信を行う通信部４５と、画像管理部４６と、を有する。
【００２０】
装置情報記憶部４１は、移動型放射線撮影装置２０から取得した撮影装置情報を保持する。病院内マップ記憶部４２は、撮影情報管理システム１０が構成され、回診検査が行われる施設内の地図情報（例えば、病院内の院内地図データ）を記憶する。
【００２１】
回診情報管理部４３は、回診予定の検査情報と、複数の移動型放射線撮影装置から取得した装置情報とに基づいて、各移動型放射線撮影装置で行う回診検査を割り当てた回診情報を作成する。回診情報管理部４３は、各移動型放射線撮影装置２０における回診情報の作成を行い、各移動型放射線撮影装置へ送信する。回診情報については、図３の参照により説明する。
【００２２】
変更制御部４４は、各移動型放射線撮影装置２０における回診情報の変更を制御する。画像管理部４６は、移動型放射線撮影装置２０から受信した放射線撮影画像を記憶し、管理を行う。変更制御部４４は、被検者の位置情報に基づいて、被検者が回診検査を行う場所にいる場合に、各移動型放射線撮影装置における回診検査の実施状況に基づいて回診情報の内容を変更する。
【００２３】
（移動型放射線撮影装置２０の機能構成）
移動型放射線撮影装置２０は、装置情報管理部２５と、回診情報管理部２６と、表示部２１と、操作部２２と、制御部２３と、撮影部２４と、集中管理装置との間でデータの送受信を行う通信部２７とを有する。通信部２７は、ＧＰＳ信号を受信可能に構成されており、移動型放射線撮影装置２０の装置情報管理部２５は、通信部２７が受信したＧＰＳ信号に基づいて、移動型放射線撮影装置２０の現在位置を示す情報を取得することができる。
【００２４】
装置情報管理部２５は、移動型放射線撮影装置２０に関する情報(撮影装置情報)の作成及び更新を行い、集中管理装置４０へ送信する。なお、移動型放射線撮影装置２０に関する情報(撮影装置情報)には、移動型放射線撮影装置の待機場所と現在位置、撮影対象となる診療科、使用する操作者、保持するセンサ(放射線検出器)などの情報が含まれる。
【００２５】
回診情報管理部２６は、集中管理装置４０から受信した回診情報を記憶する。集中管理装置４０の回診情報管理部４３により作成された回診情報または変更制御部４４により変更された回診情報は移動型放射線撮影装置に送信され、回診情報管理部２６は、集中管理装置４０から受信した回診情報を記憶する。表示部２１は、回診情報管理部２６に記憶されている回診情報を表示する。また、制御部２３の制御の下に、回診情報に基づいて放射線画像の撮影を行い、通信部２７は、回診検査の実施状況と撮影した放射線画像とを集中管理装置４０に送信する。
【００２６】
次に、図３を用いて、集中管理装置４０の回診情報管理部４３で管理する各移動型放射線撮影装置２０における回診情報の一例について説明する。回診情報には、被検者情報、検査情報、回診検査計画、回診検査実施状況が含まれており、図３はある移動型放射線撮影装置２０における回診情報の一例を示した図である。以下に、回診情報に含まれる各情報について説明する。
【００２７】
被検者情報には、被検者を識別するための識別情報（被検者ＩＤ）、被検者氏名、生年月日、性別、回診検査を行う場所の位置情報として病室などが含まれる。
【００２８】
検査情報には、回診検査において、被検者ごとに行われる放射線撮影条件が含まれる。例えば、技師名（操作者名）、撮影部位、撮影方向、放射線撮影に用いるセンサ、被検者と放射線発生装置との距離、管電圧などの情報が検査情報に含まれる。図３では、検査情報を識別可能な検査ＩＤにより表示している。回診検査計画には、回診日、回診予定順（回診予定１、２、・・・７・・・）、撮影予定時刻が含まれる。回診検査実施状況には、各回診検査が終了したかどうかを示す情報が含まれている。図３に示す回診情報の一例では、回診予定１の回診検査が終了した状態になっており、回診予定２〜７は未だ回診検査が終了していない状態であることを示している。
【００２９】
（回診検査の流れ）
次に、図４を用いて、本実施形態に係る撮影情報管理システム１０を用いた回診検査の流れを説明する。ステップＳ４０１で、集中管理装置４０の回診情報管理部４３は、各移動型放射線撮影装置２０における回診情報を作成し、記憶する。なお、回診情報を作成する詳細なフローについては図５の説明で述べるため本節では省略する。回診情報管理部４３は、通信部４５を介して、作成した回診情報を各移動型放射線撮影装置２０に送信する。
【００３０】
ステップＳ４０２で、操作者は、回診に使用予定の移動型放射線撮影装置２０の電源を投入し、移動型放射線撮影装置２０を動作可能な状態にする。
【００３１】
ステップＳ４０３で、移動型放射線撮影装置２０の回診情報管理部２６は、集中管理装置４０から送信された自装置の回診情報を取得し、記憶する。
【００３２】
ステップＳ４０４で、操作者は、移動型放射線撮影装置２０の操作部２２に受信した回診情報を表示させる入力操作を行い、回診情報に含まれる被検者情報や回診計画を確認し、被検者がいる病室に移動する。さらに操作者は、回診情報に含まれる被検者情報および検査情報を表示させて、回診検査（放射線撮影）を実施する。なお、操作者が、移動型放射線撮影装置２０の操作部２２で、表示された検査情報に修正を加える入力操作も可能である。
【００３３】
ステップＳ４０５で、回診検査終了後、移動型放射線撮影装置２０の制御部２３は、通信部２７を介して集中管理装置４０へ、回診検査が終了したことを示す情報（検査実施状況）および撮影画像を含む撮影実施情報を送信する。
【００３４】
ステップＳ４０６で、集中管理装置４０の回診情報管理部４３は、移動型放射線撮影装置２０から受信した検査実施状況を放射線情報システム３０へ送信する。また、回診情報管理部４３は、移動型放射線撮影装置２０から受信した検査実施状況を回診情報として記憶する。
【００３５】
ステップＳ４０７で、集中管理装置４０の画像管理部４６は、移動型放射線撮影装置２０から受信した撮影画像を記憶する。
【００３６】
そして、ステップＳ４０８で、集中管理装置４０の回診情報管理部４３は、予定された回診検査を全て実施したか否かを判断し、未実施の回診検査がある場合（Ｓ４０８―Ｎｏ）、処理はステップＳ４０５に戻され、同様の処理が実行される。一方、ステップＳ４０８の判定で、全ての回診検査が実施済みである場合（Ｓ４０８−Ｙｅｓ）、この処理を終了する。
【００３７】
（回診情報の作成処理）
次に、図５を用いて、集中管理装置４０の回診情報管理部４３により各移動型放射線撮影装置２０の回診情報を作成する処理の流れを説明する。まず、ステップＳ５０１で、集中管理装置４０の回診情報管理部４３は、放射線情報システム３０から回診予定の検査情報と検査実施状況を受信し、記憶する。なお、この検査情報には、回診検査の緊急性を示す緊急度、被検者の入院病棟および病室番号に関する情報が含まれている。
【００３８】
次に、ステップＳ５０２で、集中管理装置４０の回診情報管理部４３は、すべての移動型放射線撮影装置２０に対して、それぞれの撮影装置情報を要求し、それぞれの移動型放射線撮影装置２０から受信した撮影装置情報を装置情報記憶部４１に記憶する。なお、撮影装置情報には、移動型放射線撮影装置２０の現在位置の情報、待機場所、診療科、使用する移動型放射線撮影装置２０の操作者、移動型放射線撮影装置２０が保持する放射線撮影用センサ等の情報が含まれる。
【００３９】
ステップＳ５０３で、集中管理装置４０の回診情報管理部４３は、取得した撮影装置情報に基づいて各移動型放射線撮影装置２０に回診検査を割り当てる。
【００４０】
ステップＳ５０４で、集中管理装置の回診情報管理部４３は、各移動型放射線撮影装置に割り当てた回診検査を、放射線情報システムから受信した被検者の病室番号および病院内マップ記憶部に記憶している院内マップから最短の移動ルートを算出することで、回診順にソートした回診情報を作成する。なお、回診情報管理部４３は、回診検査の緊急度により、緊急度の高い撮影を優先させるようなルートを算出した回診情報を作成することが可能である。以上の処理により作成された回診情報を、回診情報管理部４３は、通信部４５を介して、各移動型放射線撮影装置２０に送信する。
【００４１】
（回診情報の変更制御）
次に、図６を用いて、集中管理装置４０の変更制御部４４による各移動型放射線撮影装置２０の回診情報を変更する制御の流れを説明する。
【００４２】
ステップＳ６０１で、集中管理装置４０の変更制御部４４は、回診が予定より遅れている移動型放射線撮影装置２０があるか否か判断する。具体的には、変更制御部４４は、回診情報管理部４３に記憶されている回診情報（回診順、撮影予定時刻、検査実施状況）を読み取り、現在時刻と比較する。例えば、検査実施状況が完了になっておらず、現在時刻と撮影予定時刻との差が、所定の閾値時間（例えば、３０分以上）、遅れている場合に、回診検査が予定より遅れていると判断する。予定より遅れている移動型放射線撮影装置２０がある場合（Ｓ６０１―Ｙｅｓ）、処理はステップＳ６０２に進められ、予定より遅れている移動型放射線撮影装置２０がない場合（Ｓ６０１−Ｎｏ）、この処理を終了する。
【００４３】
次に、ステップＳ６０２で、集中管理装置４０の変更制御部４４は、予定された回診検査が全て終了している移動型放射線撮影装置２０があるか否かを判断する。具体的には、変更制御部４４は、回診情報管理部４３に記憶されている回診情報（検査実施状況）を読み取り、予定された回診検査が全て終了している移動型放射線撮影装置２０があるか否か判断する。ここで予定された回診検査が全て終了している移動型放射線撮影装置２０がある場合（Ｓ６０２−Ｙｅｓ）、処理はステップＳ６０３に進められ、予定された回診検査が全て終了している移動型放射線撮影装置２０がない場合（Ｓ６０２−Ｎｏ）、この処理を終了する。
【００４４】
次に、ステップＳ６０３で、位置取得装置５０が、被検者の位置情報を取得し、集中管理装置４０に送信する。具体的には、病院内に設置されている監視カメラで被検者を検知し、被検者の位置情報（例えば病室番号）を集中管理装置４０に送信する。ここでは、監視カメラを例にあげたが、病院内の被検者の現在位置情報を取得する仕方は、特に問わない。例えば、病室に設置した各種センサ（ベッドセンサ、マットセンサ、徘徊センサ等）やそれらの組み合わせであっても構わない。
【００４５】
ステップＳ６０４で、変更制御部４４は、被検者の位置情報と地図情報(病院内マップ)とに基づいて、被検者が回診情報に設定されている回診検査を行う場所にいるか否かを判定する。具体的には、集中管理装置４０の変更制御部４４は、位置取得装置５０から受信した被検者の位置情報と病院内マップ記憶部４２が記憶している病院内マップに基づいて、被検者(患者)が回診検査を行う場所(病室)にいるか否かを判断する。ここで被検者が回診検査を行う場所にいる場合（Ｓ６０４−Ｙｅｓ）、処理はステップＳ６０５に進められ、被検者が回診検査を行う場所にいない場合、この処理を終了する。
【００４６】
次に、ステップＳ６０５で、変更制御部４４は、回診情報と、各移動型放射線撮影装置における回診検査の実施状況を示す情報とに基づいて、回診情報の変更内容を決定する。具体的には、変更制御部４４は、ステップＳ６０１で回診検査が予定より遅れていると判断された移動型放射線撮影装置２０に割り当てられている残りの回診検査を、ステップＳ６０２で判断された、予定された回診検査が全て終了した移動型放射線撮影装置２０に割り当てるように回診情報の変更を決定する。ステップＳ６０２で判断された、予定された回診検査が全て終了した移動型放射線撮影装置２０が複数ある場合、移動型放射線撮影装置２０の現在位置および病院内マップ記憶部４２が記憶している病院内マップに基づいて、回診を行う病室に最も近い移動型放射線撮影装置を割り当てる。
【００４７】
ステップＳ６０６で、集中管理装置４０の回診情報管理部４３は、変更制御部４４による回診情報変更内容を記憶し、関係する各移動型放射線撮影装置２０へ変更後の回診情報を送信して、本処理は終了する。
【００４８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４９】
１０:撮影情報管理システム、２０:移動型放射線撮影装置、２１:表示部
２２:操作部、２３:制御部、２４:撮影部、２５:装置情報管理部、
２６:回診情報管理部、２７:通信部（移動型放射線撮影装置）
３０:放射線情報システム（ＲＩＳ）、４０:集中管理装置
４１:装置情報記憶部、４２:病院内マップ記憶部、４３:回診情報管理部
４４:変更制御部、４５:通信部（集中管理装置）、４６:画像管理部
５０:位置取得装置
【図１】
2018158026.tif 000003
【図２】
2018158026.tif 000004
【図３】
2018158026.tif 000005
【図４】
2018158026.tif 000006
【図５】
2018158026.tif 000007
【図６】
2018158026.tif 000008